(57)【特許請求の範囲】
【請求項１】
透液性のトップシートと不透液性のバックシートとの間に吸収体が介在されたペット用吸収性シートにおいて、
前記ペット用吸収性シートには、少なくとも排尿後に上面側から視認可能に周期的なデザインが施され、
排尿によって尿が面方向に拡散する排尿範囲において、前記デザインを指標として排尿量が把握可能となっており、
前記デザインは、２５mm角の正方形の升目に対応して等間隔に形成され、前記排尿範囲内に存在する升目が１５マスのときに排尿量が２０ml、２０マスのときに排尿量が３０ml、２５マスのときに排尿量が４０ml、３０マスのときに排尿量が５０mlを目安として設定されていることを特徴とするペット用吸収性シート。
【請求項２】
前記デザインは、複数の直線を直交させて複数の格子マスを形成したパターン、複数の絵柄を等間隔で格子状又は千鳥状に配列したパターンのいずれかとされる請求項１記載のペット用吸収性シート。
【請求項３】
前記デザインは、排尿後も該デザインを視認できる程度に滲まないインクにより施されている請求項１〜２いずれかに記載のペット用吸収性シート。
【請求項４】
前記デザインは、尿との接触により変色するインクによって施され、排尿によって前記デザインが変色した範囲を前記排尿範囲としてある請求項１〜３いずれかに記載のペット用吸収性シート。
【請求項５】
前記吸収体は白色とされ、前記吸収体に吸収された尿自体の色によって変色した範囲を前記排尿範囲としてある請求項１〜３いずれかに記載のペット用吸収性シート。
【請求項６】
前記吸収体には尿との接触により変色する着色剤が含有され、前記吸収体に吸収された尿によって前記着色剤が変色した範囲を前記排尿範囲としてある請求項１〜３いずれかに記載のペット用吸収性シート。
【請求項７】
前記デザインは、尿のｐＨにより変色する機能を有するｐＨ指示薬を含有するインクによって施されている請求項１〜６いずれかに記載のペット用吸収性シート。
【請求項８】
前記デザインは、前記トップシートの表面側又は裏面側に施されている請求項１〜７いずれかに記載のペット用吸収性シート。
【請求項９】
前記吸収体はクレープ紙によって覆われるとともに、前記デザインは前記クレープ紙の表面側又は裏面側に施されている請求項１〜７いずれかに記載のペット用吸収性シート。
【請求項１０】
前記トップシートと吸収体との間にセカンドシートが配設されるとともに、前記デザインは前記セカンドシートの表面側又は裏面側に施されている請求項１〜７いずれかに記載のペット用吸収性シート。
【発明の詳細な説明】
【技術分野】
【０００１】
本発明は、トイレシート、ペットシーツなど、犬などのペットの排泄処理用品として使用されるペット用吸収性シートに係り、詳しくはより正確な排尿量を把握できるようにしたペット用吸収性シートに関する。
【背景技術】
【０００２】
従来より、犬などのペットの排泄処理用品として、ポリエチレンシートなどの不透液性バックシートと、不織布などの透液性トップシートとの間に綿状パルプなどからなる吸収体を介在したペット用吸収性シートが知られている。
【０００３】
犬などのペットの場合、日々の健康管理として、尿の色や尿のｐＨに加えて、尿の量も重要な要素となることが知られている。例えば、尿量が多い場合には肝臓疾患が考えられ、逆に尿量が少ない場合には結石などの症状が疑われる。
【０００４】
ところが、従来のペット用吸収性シートに付加される機能としては、逆戻りを抑えたものや、消臭効果や殺菌効果を持たせたものなどが主流であり、排尿量が簡易に把握できるペット用吸収性シートはほとんど市販されていなかった。このためペットの排尿量を把握するには吸収前後のシート重量を測定し、その差から推測するしかなかった。
【０００５】
一方、尿量を観察できる使い捨ておむつとして、下記特許文献１には、吸水性コアとともに水溶性着色樹脂が透水性内側シートと透明の不透水性外側シートとの間に封入されている使い捨ておむつであって、水溶性着色樹脂が吸水性コアと不透水性外側シートとの間に配設されており、前記水溶性着色樹脂を外側から観察できるようにしたものが開示されている。
【先行技術文献】
【特許文献】
【０００６】
【特許文献１】特開２００２−３３０９９５号公報
【発明の概要】
【発明が解決しようとする課題】
【０００７】
しかしながら、上記特許文献１記載の使い捨ておむつは、尿量を外側（バックシート側）から観察できるようにしたものであって、本発明に係るペット用吸収性シートなどのようにバックシートの面を下にして床面に設置されるものに対しては採用することはできなかった。
【０００８】
また、近年の吸収体は吸収体に含有される高吸水性樹脂（ポリマー）や吸収体を包むクレープ紙の発達により、バックシート側にまで尿が到達せず、吸収体の中央部に保持されるようになっている。そのため、外側から尿量を確認できない場合もあった。
【０００９】
更に、上記特許文献１記載の使い捨ておむつでは、水溶性の着色剤が尿に溶解することにより、着色された部分の表面積から尿量の多少を観察するものであるので、着色剤が滲んで実際より広範囲の面積に着色部分が及び、実際の尿量より多い尿量が観察されるおそれがあった。
【００１０】
そこで本発明の主たる課題は、より正確な排尿量を把握できるようにしたペット用吸収性シートを提供することにある。
【課題を解決するための手段】
【００１１】
上記課題を解決するために請求項１に係る本発明として、透液性のトップシートと不透液性のバックシートとの間に吸収体が介在されたペット用吸収性シートにおいて、
前記ペット用吸収性シートには、少なくとも排尿後に上面側から視認可能に周期的なデザインが施され、
排尿によって尿が面方向に拡散する排尿範囲において、前記デザインを指標として排尿量が把握可能となっており、
前記デザインは、２５mm角の正方形の升目に対応して等間隔に形成され、前記排尿範囲内に存在する升目が１５マスのときに排尿量が２０ml、２０マスのときに排尿量が３０ml、２５マスのときに排尿量が４０ml、３０マスのときに排尿量が５０mlを目安として設定されていることを特徴とするペット用吸収性シートが提供される。
【００１２】
上記請求項１記載の発明は、少なくとも排尿後にペット用吸収性シートの上面側から視認可能に周期的なデザインを施し、排尿範囲においてこの周期的なデザインを指標として排尿量を把握可能としたものである。即ち、排尿によって丸くシミになった範囲を排尿範囲と定義し、吸収体の保水性能や拡散性能などから排尿量と面方向への拡散範囲との関係が一定であることを利用して、排尿範囲内に存在するデザインの個数などを勘定するだけで排尿量を把握できるようにしたものである。このため、排尿範囲の大きさを定規などで測ったり、排尿前後のシート重量を計測したりすることなく、簡単に正確な排尿量が把握できるようになる。
【００１３】
請求項２に係る本発明として、前記デザインは、複数の直線を直交させて複数の格子マスを形成したパターン、複数の絵柄を等間隔で格子状又は千鳥状に配列したパターンのいずれかとされる請求項１記載のペット用吸収性シートが提供される。
【００１４】
上記請求項２記載の発明では、周期的なデザインの具体例として、複数の直線を直交させて複数の格子マスを形成したパターン、複数の絵柄を等間隔で格子状又は千鳥状に配列したパターンのいずれかとしてある。
【００１５】
請求項３に係る本発明として、前記デザインは、排尿後も該デザインを視認できる程度に滲まないインクにより施されている請求項１〜２いずれかに記載のペット用吸収性シートが提供される。
【００１６】
上記請求項３記載の発明では、前記デザインを施すに当たって、排尿後も該デザインを視認できる程度に滲まない油性インクを使用したり、滲み防止のための樹脂、シリカ、アミンなどを添加したインクを使用したりすることにより、デザインの視認可能な範囲での滲みを防止し、排尿範囲内のデザインを明確に把握することができるようにしている。前記「排尿後も該デザインを視認できる程度」とは、排尿後も前記デザインを指標として排尿量が把握可能な状態のことであり、具体的には排尿後も視覚的にシート上面側から前記排尿範囲内に存在する格子マス又は絵柄が個別的に識別可能な状態のことである。
【００１７】
請求項４に係る本発明として、前記デザインは、尿との接触により変色するインクによって施され、排尿によって前記デザインが変色した範囲を前記排尿範囲としてある請求項１〜３いずれかに記載のペット用吸収性シートが提供される。
【００１８】
請求項５に係る本発明として、前記吸収体は白色とされ、前記吸収体に吸収された尿自体の色によって変色した範囲を前記排尿範囲としてある請求項１〜３いずれかに記載のペット用吸収性シートが提供される。
【００１９】
請求項６に係る本発明として、前記吸収体には尿との接触により変色する着色剤が含有され、前記吸収体に吸収された尿によって前記着色剤が変色した範囲を前記排尿範囲としてある請求項１〜３いずれかに記載のペット用吸収性シートが提供される。
【００２０】
上記請求項４〜６記載の発明は、排尿範囲を明確に識別するための構成について規定したものであり、請求項５は尿との接触により変色するインクによって施され、排尿によって前記デザインが変色した範囲を排尿範囲としたもので、請求項６は吸収体を白色とし、この吸収体に吸収された尿自体の色によって変色した範囲を排尿範囲としたもので、請求項７は吸収体に尿との接触により変色する着色剤を含有しておき、この吸収体に吸収された尿によって前記着色剤が変色した範囲を排尿範囲としたものである。
【００２１】
請求項７に係る本発明として、前記デザインは、尿のｐＨにより変色する機能を有するｐＨ指示薬を含有するインクによって施されている請求項１〜６いずれかに記載のペット用吸収性シートが提供される。
【００２２】
請求項８に係る本発明として、前記デザインは、前記トップシートの表面側又は裏面側に施されている請求項１〜７いずれかに記載のペット用吸収性シートが提供される。
【００２３】
請求項９に係る本発明として、前記吸収体はクレープ紙によって覆われるとともに、前記デザインは前記クレープ紙の表面側又は裏面側に施されている請求項１〜７いずれかに記載のペット用吸収性シートが提供される。
【００２４】
請求項１０に係る本発明として、前記トップシートと吸収体との間にセカンドシートが配設されるとともに、前記デザインは前記セカンドシートの表面側又は裏面側に施されている請求項１〜７いずれかに記載のペット用吸収性シートが提供される。
【００２５】
上記請求項８〜１０記載の発明は、上面側から視認可能に前記デザインを施す位置について規定したものであり、トップシート（請求項８）、クレープ紙（請求項９）又はセカンドシート（請求項１０）の表面側又は裏面側に施すようにしたものである。
【発明の効果】
【００２６】
以上詳説のとおり本発明によれば、より正確な排尿量を把握できるようにしたペット用吸収性シートが提供できるようになる。
【図面の簡単な説明】
【００２７】
【図１】本発明に係るトイレシート１の一部破断平面図でである。
【図２】トイレシート１の断面図である。
【図３】排尿時の状態を示すトイレシート１の平面図である。
【図４】デザイン６のパターン例（その１）である。
【図５】デザイン６のパターン例（その２）である。
【図６】デザイン６のパターン例（その３）である。
【図７】デザイン６のパターン例（その４）である。
【発明を実施するための形態】
【００２８】
以下、本発明の実施の形態について図面を参照しながら詳述する。
【００２９】
本発明に係るペット用吸収性シート（以下、トイレシート１）は、ポリエチレンシートなどからなる不透液性バックシート２と、尿などを速やかに透過させる透液性トップシート３と、これら両シート２、３間に介装された綿状パルプなどからなる吸収体４と、この吸収体４の形状保持および拡散性向上のために前記吸収体４の上面および下面を覆うクレープ紙５、５とから主に構成され、前記吸収体４の周囲の外周フラップ部において前記不透液性バックシート２と透液性トップシート３とがホットメルトなどの接着剤やヒートシール等の接合手段によって接合され、平面視で略方形状に形成されている。
【００３０】
以下、さらに前記トイレシート１の構造について詳述すると、
前記不透液性バックシート２は、ポリエチレン、ポリプロピレン等の少なくとも遮水性を有するシート材が用いられるが、この他に防水フィルムを介在して実質的に不透液性を確保した上で不織布シート（この場合には、防水フィルムと不織布とで不透液性バックシートを構成する。）などを用いることができる。
【００３１】
前記透液性トップシート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。前記透液性トップシート３に多数の透孔を形成した場合には、尿等が速やかに吸収されるようになる。前記プラスチックシートとしては、メッシュシートが用いられる。このメッシュシートとしては、たとえばポリエチレンまたはポリプロピレン等のオレフィン系の熱可塑性樹脂フィルムが好適に使用されるが、ポリエステル、ナイロンなどのポリアミド系樹脂、エチレン−酢酸ビニル共重合体（ＥＶＡ）なども使用することができる。
【００３２】
前記吸収体４としては、尿等の排泄物を吸収・保持し得るものであれば良く、たとえばパルプ中に高吸水性樹脂を混入したもの、或いはパルプ中に化学繊維を混入させるとともに、高吸水性樹脂を混入したものが使用される。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が吸収機能および価格の面で好適に使用される。前記吸収体４の目付けは、５０〜２４０ｇ／ｍ２、特に１６０〜２００ｇ／ｍ２のものが望ましい。
【００３３】
前記高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。前記高吸水性樹脂の含有率は吸収体４の重量に対して１０〜５０重量％、特に２０〜３０重量％とするのが望ましい。高吸水性樹脂含有率が１０重量％未満の場合には、十分な吸収能を与えることができず、５０重量％を超える場合にはパルプ繊維間の絡み合いが無くなり、シート強度が低下し破れや割れ等が発生し易くなる。
【００３４】
前記クレープ紙５としては、通常のクレープ紙の他に、薄葉紙、ティッシュペーパ、不織布、ポリラミ不織布、小孔が開いたシート等を用いることができる。ただし、高吸水性樹脂粒子が抜け出ないシートであるのが望ましい。前記クレープ紙５は、図２に示される例では吸収体４の表面側及び裏面側にそれぞれ配設されているが、１枚のシートで吸収体４を囲繞するように配設することもできる。クレープ紙５の目付けは、５〜４０ｇ／ｍ２、特に１０〜３０ｇ／ｍ２のものが望ましい。また、吸収体４の上層側と下層側とで異なる目付のものを使用することもできる。この場合、下層側の方が低い目付のものを使用するのが好ましい。
【００３５】
上記トイレシート１を構成する各部材には、尿などの臭いを軽減するために、消臭剤及び／又は芳香剤を配合（内添又は外添）するようにしてもよい。
【００３６】
本発明に係るトイレシート１では、図１に示されるように、少なくとも排尿後にトイレシート１の上面側から視認可能に、図示例では、クレープ紙５の表面側に周期的なデザイン６が施されている。そして、本トイレシート１では、図３に示されるように、排尿によって尿が面方向に拡散する排尿範囲７において、前記デザイン６を指標として排尿量が把握可能となるように設定されている。
【００３７】
前記デザイン６としては、図３に示されるように、縦方向及び横方向の複数の直線を直交させて、格子マス６ａを複数形成したパターンや、図１に示されるように、斜め４５°に傾斜する複数の直線を直交させて斜め４５°の格子マスを複数形成したパターンとすることができる。また、図４に示されるように、円などの図形６ｂを等間隔に格子状に配列したパターン、図５に示されるように、円などの図形６ｃを等間隔に千鳥状に配列したパターン、図６に示されるように、犬の足跡などの絵柄６ｄを等間隔に格子状に配列したパターンなどとすることもできる。この場合、前記排尿範囲７内に存在する前記格子マス６ａ、図形６ｂ、６ｃ又は絵柄６ｄの数を指標として排尿量が把握可能とされている。
【００３８】
前記デザイン６は、２０、３０、４０、５０mlの排尿量が把握可能となるように設定されている。具体的に前記デザイン６の数と排尿量との関係について説明すると、前記デザイン６は、図３〜図６に示されるように、そのデザインを構成する格子マス、図形又は絵柄がそれぞれ２５mm角の升目８、８…に対応して形成され、前記排尿範囲７内に存在する升目８…が１５マスのときに排尿量が２０ml、２０マスのときに排尿量が３０ml、２５マスのときに排尿量が４０ml、３０マスのときに排尿量が５０mlを目安として設定されている。
【００３９】
かかる升目８の数と排尿量との関係に基づいて、格子マス、図形又は絵柄の数と排尿量との関係が求められる。即ち、図３〜図６に示されるように、升目８の数と格子マス、図形又は絵柄の数との関係は、デザインの配列パターンによって異なるため、デザインの配列パターンによって格子マス、図形又は絵柄の数と排尿量との関係が相違する。具体例として、２０マスのときに排尿量が３０mlである場合を例に挙げ、格子マス、図形又は絵柄の数と排尿量との関係について説明する。図３及び図４に示されるように、各升目８…に対応して格子マス６ａ又は図形６ｂが施される場合には、上記升目の数と排尿量との関係がそのまま適用でき、格子マス６ａ又は図形６ｂの数が２０個のとき排尿量が３０mlとなる。一方、図５に示されるように、２つの升目８、８に１個の割合で図形６ｃが施される配列パターンの場合には、升目の数を半分にした図形の数と読み替えて上記の関係を適用する。即ち図形６ｃが１０個のとき排尿量が３０mlとなる。また、図６に示されるように、４つの升目８…に１個の割合で絵柄６ｄが施される場合には、升目の数を１／４にした絵柄の数と読み替え、絵柄６ａが５個のとき排尿量が３０mlとなる。
【００４０】
ここで上記升目の数と排尿量との関係は、次の手順で求めたものである。先ず、サンプルシートとして、透液性トップシートと不透液性バックシートとの間にポリマーを含有した吸収体が介在され、前記吸収体の上面及び下面がクレープ紙で覆われたものを使用した。前記トップシートの目付量は１７．０ｇ／ｍ２、吸収体の厚みは１．３mm、ポリマーの目付量は５５．５ｇ／ｍ２、上面のクレープ紙の目付量は１３．２ｇ／ｍ２、下面のクレープ紙の目付量は１３．９ｇ／ｍ２である。前記サンプルシートに排尿を想定して５ml〜５０mlの水を放出したときの拡散直径と拡散面積を計測した。表１は放出量と拡散直径との関係、表２は放出量と拡散面積との関係である。
【００４１】
【表１】
0005721385.tif 000002
【００４２】
【表２】
0005721385.tif 000003
次に、上記の放出量と拡散面積との関係をグラフ化し、近似式を得ておく。そして、この近似式に基づいて、表３に示されるように、放出量とこの放出量に対応する拡散面積を１４〜３１等分するような正方形の一辺の長さとの関係を求める。ここで、一般的な中型犬の１回の排尿量である３０mlの放出量に対して、升目の識別性や計量の手間などを考慮して排尿範囲内に升目８が２０個形成されることを基準として、放出量３０mlのときの拡散面積を２０分割するような升目８の一辺の長さを基準値とする。その結果、升目８の一辺の長さは２．５２cm（２５．２mm）であった。それから、各放出量に対して、一辺の長さが２５mmとなるような升目の数を求める。なお、表３は、放出量と分割正方形の数に対する分割正方形の一辺の長さ（cm）を表したもので、基準値である２．５cm前後の値のみを表示してある。
【００４３】
【表３】
0005721385.tif 000004
【００４４】
ところで、前記デザイン６は、少なくとも排尿後にトイレシート１の上面側から視認可能に施してあればよく、デザインを施す部材やデザインの変色の態様などについては特に限定されない。例えば前記デザインを施す部材としては、クレープ紙５の表面側又は裏面側、トップシート３の表面側又は裏面側、図示しないがトップシート３と吸収体４との間に薄葉紙や不織布などからなるデザイン印刷用のセカンドシートを配設した場合には、そのセカンドシートの表面側又は裏面側などとすることができる。好ましくは、図示例のようにクレープ紙５の表面側である。また、デザインの変色の態様としては、排尿前後で上面側から視認可能としても、排尿前は透明で排尿後に尿との接触により発色することによって上面側から視認可能となるように構成してもよい。
【００４５】
前記デザイン６は、排尿後も視覚的に滲まない、例えば油性インクによって施すことが好ましい。これにより、デザイン６の滲みが防止でき、排尿範囲のデザインを明確に把握できるようになる。吸水による滲み防止のため、インク組成物にアクリル樹脂や非イオン性の水溶性ポリマーやポリビニルアルコール等の親水基及び疎水基を持つ樹脂を結合剤として含有させることができる。さらに、前記インク組成物には、でんぷん、カオリン、合成シリカ、ガラス、微結晶セルロース、イオン交換セルロース、珪酸アルミニウム等の吸水性粉末を含有し、尿とｐＨ指示薬との接触を促進させ、ｐＨ指示薬の呈色反応を促進させることもできる。
【００４６】
インク樹脂量とデザイン６の視認性との関係を実験的に求めた結果を表４に示す。かかる実験では、米坪１７．０ｇ／ｍ２、クレープ率２０％の原紙に対し、水溶性ポリマーとしてポリビニルピロリドンを使用し、深度３６μｍ、グラデーション１００％、印刷面積１０％の条件でデザインを印刷したものに対して、表面側から水をかけたときのデザインの視認状態を評価した。評価は、○：視認容易、△：視認しにくい、×：視認できない、の３段階で行った。この結果、樹脂量が０．５％以下では、デザインが滲んで該デザインを認識できなかったものの、それを超える配合量で配合した場合、特に３．０％以上で配合した場合には、デザインが滲まず明確に把握が可能である。
【００４７】
【表４】
0005721385.tif 000005
【００４８】
インク組成物には、尿との接触により尿のｐＨに応じて変色するｐＨ指示薬を含有することができる。前記ｐＨ指示薬として、リトマス、メチルオレンジ、メチルレッド、ブロモチモールブルー、チモールブルーなどから選択した１種又は２種以上のものを含有させることができる。特にメチルレッドとブロモチモールブルーとの混合指示薬を使用することにより、ｐＨ４．０〜９．０の酸性、中性及びアルカリ性の広い範囲の観測が可能となるため好ましい。
【００４９】
次に、前記排尿範囲７を明確に識別するための構成について説明する。第１の構成として、図３に示されるように、前記デザイン６を、尿との接触により変色する着色剤を含有するインクによって施し、排尿によって前記デザイン６が変色した範囲を排尿範囲７とすることができる。前記尿との接触により変色する着色剤としては、ｐＨ指示薬、ブドウ糖検出指示薬、蛋白検出指示薬、血検出指示薬、温度感知指示薬、水分感知指示薬などを用いることができる。
【００５０】
第２の構成として、図７に示されるように、吸収体４を白色のもので構成し、この吸収体４に吸収された尿自体の色によって変色した範囲を排尿範囲７とすることができる。この場合、吸収体４の白色度（ＪＩＳ  Ｐ８１４８）を５７％以上とすることにより、より明確に排尿範囲７が特定できるとともに、トイレシート１の交換時期も把握できる。
【００５１】
第３の構成として、吸収体４に尿との接触により変色する着色剤を塗布、印刷、含浸又は分散させることにより含有させ、吸収体４に吸収された尿によって前記着色剤が変色した範囲を排尿範囲７とすることができる。前記着色剤としては、上記第１の構成と同様のものを用いることができる。
【００５２】
前記デザイン６として、図６に示されるように、外観上方向性を有するものを採用した場合、上下左右の４つの絵柄を１つのグループとし、その４つの絵柄がそれぞれ上下左右の異なる方向を向くように配置することが好ましい。これにより、トイレシート１を表面側から見たときにデザインによる方向性が無くなり、トイレシート１を任意の向きで配置することができるようになる。
【００５３】
一方、前記吸収体４は、地色を白色とすることにより、デザイン６が施されていない部分で尿自体の色が確認でき、ペットの健康管理がしやすくなる。また、尿色でシミになった部分が識別容易であるため、トイレシート１の交換時期も把握できる。このとき、白色度（ＪＩＳ  Ｐ８１４８）を５７％以上とすることが好ましい。
【符号の説明】
【００５４】
１…トイレシート、２…不透液性バックシート、３…透液性トップシート、４…吸収体、５…クレープ紙、６…デザイン、７…排尿範囲
【図１】
0005721385.tif 000006
【図２】
0005721385.tif 000007
【図３】
0005721385.tif 000008
【図４】
0005721385.tif 000009
【図５】
0005721385.tif 000010
【図６】
0005721385.tif 000011
【図７】
0005721385.tif 000012